(57)【要約】      （修正有）【課題】アプリケーションの利便性を向上させることができる端末プログラムおよび端末装置を提供する。【解決手段】端末装置１０において実行される端末プログラムは、歩行検出手順と、起動制御手順とをコンピュータに実行させる。歩行検出手順は、ユーザの歩行を検出する。起動制御手順は、所定のアプリケーションを起動させた後に歩行検出手順によってユーザの歩行が検出される場合、所定のアプリケーションの起動を継続させる。【選択図】図２
2020119210.tif 000002
【特許請求の範囲】
【請求項１】
ユーザの歩行を検出する歩行検出手順と；
所定のアプリケーションを起動させた後に前記歩行検出手順によってユーザの歩行が検出される場合、前記所定のアプリケーションの起動を継続させる起動制御手順と；
をコンピュータに実行させる端末プログラム。
【請求項２】
前記所定のアプリケーションに対するユーザの音声操作を受け付ける受付手順；
をさらに実行させる請求項１に記載の端末プログラム。
【請求項３】
前記受付手順は、
前記歩行検出手順によってユーザの歩行が検出される場合、音声操作の受け付けを禁止する
請求項２に記載の端末プログラム。
【請求項４】
前記歩行検出手順によってユーザの歩行が検出される場合、端末装置の消費電力がユーザの歩行が検出されない場合より低い低消費電力モードに移行するモード制御手順；
をさらに実行させる請求項１〜３のいずれか１つに記載の端末プログラム。
【請求項５】
前記モード制御手順は、
前記歩行検出手順によってユーザの歩行が検出される場合の前記端末装置の画面の輝度を、ユーザの歩行が検出されない場合より低減させることで、前記低消費電力モードに移行する
請求項４に記載の端末プログラム。
【請求項６】
前記モード制御手順は、
前記低消費電力モードに移行した後に前記所定のアプリケーションに対するユーザの操作を受け付けた場合、前記端末装置の画面の輝度を増加させることで、前記低消費電力モードから通常消費電力モードに移行する
請求項５に記載の端末プログラム。
【請求項７】
前記モード制御手順は、
前記端末装置に搭載されたセンサから出力されるセンサ情報に基づいて前記端末装置の環境状態が所定の状態に変化したか否かを判定し、前記端末装置の環境状態が前記所定の状態に変化したと判定された場合、前記端末装置の画面の輝度を増加させることで、前記低消費電力モードから通常消費電力モードに移行する
請求項５に記載の端末プログラム。
【請求項８】
前記モード制御手順は、
前記端末装置に搭載された照度センサおよび加速度センサの少なくともいずれかから出力されるセンサ情報に基づいて、前記端末装置の環境状態が前記所定の状態に変化したか否かを判定する
請求項７に記載の端末プログラム。
【請求項９】
ユーザの歩行を検出する歩行検出部と；
所定のアプリケーションを起動させた後に前記歩行検出部によってユーザの歩行が検出される場合、前記所定のアプリケーションの起動を継続させる起動制御部と；
を具備する端末装置。
【発明の詳細な説明】
【技術分野】
【０００１】
本発明の実施形態は、端末プログラムおよび端末装置に関する。
【背景技術】
【０００２】
農作物に被害を及ぼすイノシシやシカ等の害獣を捕獲した場合、害獣を捕獲したことを示す証拠を自治体等へ提出することで報奨金を得る制度がある。従来、上記した証拠の提出方法として、例えば動物を捕獲したユーザが、スマートフォンなどの端末装置のアプリケーションを起動してかかる動物を撮像し、撮像した獲物画像を提出する方法がある。
【先行技術文献】
【特許文献】
【０００３】
【特許文献１】特開２０１７−１４６７７８号公報
【発明の概要】
【発明が解決しようとする課題】
【０００４】
ところで、端末装置のアプリケーションにあっては、例えば起動後に所定時間操作がなされないと、スリープ（休止）モードに移行したり、他人が操作できないようにするロック画面を表示させたりする。そして、スリープモード等に移行した後に、ユーザがアプリケーションを利用したい場合、例えば端末装置をタッチ操作したり、パスワードの入力操作を行ったりするなどしてアプリケーションを起動状態に戻していた。
【０００５】
しかしながら、狩猟を行うユーザは、例えば手袋などをしていることが多いため、タッチ操作やパスワード入力操作をするときに一度手袋を外して操作する必要があり、ユーザにとって煩雑であった。このように、従来技術には、アプリケーションの利便性を向上させるという点で改善の余地があった。
【０００６】
本発明が解決しようとする課題は、アプリケーションの利便性を向上させることができる端末プログラムおよび端末装置を提供することである。
【課題を解決するための手段】
【０００７】
実施形態に係る端末プログラムは、歩行検出手順と、起動制御手順とをコンピュータに実行させる。歩行検出手順は、ユーザの歩行を検出する。起動制御手順は、所定のアプリケーションを起動させた後に前記歩行検出手順によってユーザの歩行が検出される場合、前記所定のアプリケーションの起動を継続させる。
【発明の効果】
【０００８】
本発明によれば、アプリケーションの利便性を向上させることができる。
【図面の簡単な説明】
【０００９】
【図１】図１は、実施形態に係る情報処理システムの構成例を示す図である。
【図２】図２は、実施形態に係る端末装置の構成例を示すブロック図である。
【図３】図３は、実施形態に係る画像情報の一例を示す図である。
【図４Ａ】図４Ａは、実施形態に係る端末装置に表示される画面の一例を示す図である。
【図４Ｂ】図４Ｂは、実施形態に係る端末装置に表示される画面の一例を示す図である。
【図４Ｃ】図４Ｃは、実施形態に係る端末装置に表示される画面の一例を示す図である。
【図５】図５は、実施形態に係るサーバの構成例を示すブロック図である。
【図６】図６は、実施形態に係る捕獲情報の一例を示す図である。
【図７】図７は、実施形態に係る端末装置の処理の手順を示すフローチャートである。
【発明を実施するための形態】
【００１０】
以下に説明する実施形態に係る端末プログラムは、歩行検出手順と、起動制御手順とをコンピュータに実行させる。歩行検出手順は、ユーザＵの歩行を検出する。起動制御手順は、所定のアプリケーションを起動させた後に歩行検出手順によってユーザＵの歩行が検出される場合、所定のアプリケーションの起動を継続させる。
【００１１】
また、以下に説明する実施形態に係る端末プログラムは、所定のアプリケーションに対するユーザＵの音声操作を受け付ける受付手順をさらに実行させる。
【００１２】
また、以下に説明する実施形態に係る受付手順は、歩行検出手順によってユーザＵの歩行が検出される場合、音声操作の受け付けを禁止する。
【００１３】
また、以下に説明する実施形態に係る端末プログラムは、歩行検出手順によってユーザＵの歩行が検出される場合、端末装置１０の消費電力がユーザＵの歩行が検出されない場合より低い低消費電力モードに移行するモード制御手順をさらに実行させる。
【００１４】
また、以下に説明する実施形態に係るモード制御手順は、歩行検出手順によってユーザＵの歩行が検出される場合の端末装置１０の画面の輝度を、ユーザＵの歩行が検出されない場合より低減させることで、低消費電力モードに移行する。
【００１５】
また、以下に説明する実施形態に係るモード制御手順は、低消費電力モードに移行した後に所定のアプリケーションに対するユーザＵの操作を受け付けた場合、端末装置１０の画面の輝度を増加させることで、低消費電力モードから通常消費電力モードに移行する。
【００１６】
また、以下に説明する実施形態に係るモード制御手順は、端末装置１０に搭載されたセンサから出力されるセンサ情報に基づいて端末装置１０の環境状態が所定の状態に変化したか否かを判定し、端末装置１０の環境状態が所定の状態に変化したと判定された場合、端末装置１０の画面の輝度を増加させることで、低消費電力モードから通常消費電力モードに移行する。
【００１７】
また、以下に説明する実施形態に係るモード制御手順は、端末装置１０に搭載された照度センサ１６および加速度センサ１５の少なくともいずれかから出力されるセンサ情報に基づいて、端末装置１０の環境状態が所定の状態に変化したか否かを判定する。
【００１８】
以下、図面を参照して、実施形態に係る端末プログラムおよび端末装置について説明する。実施形態において同一の部位には同一の符号を付し、重複する説明は省略される場合がある。
【００１９】
［情報処理システムの構成例］
まず、端末プログラムを実行する端末装置を含む情報処理システムの構成を説明する。図１は、実施形態に係る情報処理システムの構成例を示す図である。情報処理システム１は、例えば、猟師等のユーザＵによって捕獲された動物３０の捕獲状況などを管理するためのシステムである。
【００２０】
図１に示すように情報処理システム１は、端末装置１０と、サーバ２０とを有する。また、端末装置１０およびサーバ２０は、ネットワーク２を介して通信可能に接続されている。なお、ネットワーク２は、例えばインターネットなどである。
【００２１】
例えば、端末装置１０は、スマートフォン、タブレットおよびデジタルカメラ等の携帯型の端末装置であり、ユーザＵによって利用される。端末装置１０は、カメラ機能等を用いて、捕獲した動物３０の画像（以下「獲物画像」という）を撮像することができる。また、端末装置１０は、ＧＰＳなどの測位システムを利用して端末装置１０の位置情報を取得することができる。また、端末装置１０は、獲物画像を含む画像情報１７１をサーバ２０へ送信することができる。
【００２２】
なお、端末装置１０には、例えば所定のアプリケーション（端末プログラムの一例）がインストールされ、かかるアプリケーションの起動によって上記した獲物画像の撮像や位置情報の取得、画像情報１７１の送信などの各種処理が実行される。
【００２３】
サーバ２０は、端末装置１０から送信された画像情報１７１を記憶部に格納し、動物３０の捕獲状況などを管理するが、これについては後述する。
【００２４】
ところで、端末装置１０のアプリケーション（以下「アプリ」と記載する場合がある）にあっては、例えば起動後に所定時間操作がなされないと、スリープモード等に移行する。スリープモード等への移行後、ユーザＵは、端末装置１０をタッチ操作したりしてアプリを起動状態に戻してから、アプリを利用することができる。しかしながら、狩猟を行うユーザＵは手袋をしているため、一度手袋を外してタッチ操作する必要があり、ユーザＵにとって煩雑であった。
【００２５】
そこで、本実施形態に係る端末プログラムを実行する端末装置１０にあっては、アプリの利便性を向上させることができるような構成とした。以下、その構成について詳しく説明する。
【００２６】
図２は、実施形態に係る端末装置１０の構成例を示すブロック図である。図２に示すように、端末装置１０は、撮像部１１、通信部１２、ＧＰＳ受信部１３、入出力部１４、
加速度センサ１５、照度センサ１６、記憶部１７および制御部１８を有する。
【００２７】
撮像部１１は、ユーザＵが捕獲した動物３０の画像、すなわち獲物画像を撮像する。撮像部１１は、例えばカメラである。撮像部１１が撮像する画像は静止画であるが、これに限られず、例えば動画であってもよい。
【００２８】
通信部１２は、無線通信処理や有線通信処理を行うためのネットワークデバイスである。例えば、通信部１２は、ネットワーク２を介してサーバ２０との間で各種情報を送受信する。
【００２９】
ＧＰＳ受信部１３は、ＧＰＳの衛星から送出される信号（電波）を受信し、受信した信号を制御部１８へ出力する。
【００３０】
入出力部１４は、ユーザＵからのタッチ操作や音声操作などによる入力を受け付けたり、ユーザＵに対して各種情報を画面に表示して出力したりする装置である。例えば、入出力部１４は、音声が入力されるマイクなどを有するタッチパネルディスプレイである。
【００３１】
加速度センサ１５は、端末装置１０に搭載され、例えば、端末装置１０の垂直方向や水平方向の加速度を検出する。加速度センサ１５によって検出された端末装置１０の加速度によって、端末装置１０を携帯するユーザＵの歩行を検出することができるが、これについては後述する。
【００３２】
照度センサ１６は、端末装置１０に搭載され、端末装置１０の周囲の照度を検出する。照度センサ１６によって検出された端末装置１０の周囲の照度や、上記した加速度センサ１５によって検出された端末装置１０の加速度によって、端末装置１０の環境状態を検出することができるが、これについても後述する。また、加速度センサ１５や照度センサ１６から出力されるセンサ情報は、制御部１８へ出力される。
【００３３】
記憶部１７は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１７は、端末装置１０で実行される各処理で利用されるデータを記憶する。
【００３４】
また、記憶部１７は、上記した画像情報１７１を記憶する。図３は、実施形態に係る画像情報１７１の一例を示す図である。
【００３５】
図３に示すように、画像情報１７１には、獲物画像１７１ａと、付与情報１７１ｂとが含まれる。獲物画像１７１ａは、後述する取得部１８１によって取得された獲物画像である。
【００３６】
付与情報１７１ｂは、獲物画像１７１ａに対応付けて付与された情報である。例えば、付与情報１７１ｂには、撮像時間情報や撮像位置情報など種々の情報が含まれる。撮像時間情報は、獲物画像が撮像された時間を示す情報であり、撮像位置情報は、獲物画像が撮像された位置を示す情報である。
【００３７】
図２の説明に戻ると、制御部１８は、各種の処理手順等を規定したプログラム及び所要データを格納するための内部メモリやＣＰＵ（Central  Processing  Unit）を有し、これらによって種々の処理を実行するマイクロコンピュータを含む。制御部１８は、取得部１８１、歩行検出部１８２、起動制御部１８３、受付部１８４、モード制御部１８５および送信部１８６を有する。
【００３８】
取得部１８１は、撮像部１１によって撮像された獲物画像を取得することができる。また、取得部１８１は、例えば端末装置１０に内蔵された時計から、獲物画像が撮像された時間を示す撮像時間情報を取得することができる。そして、取得部１８１は、取得された撮像時間情報を獲物画像に対応付けて付与し、記憶部１７に記憶させる（図３参照）。
【００３９】
また、取得部１８１は、端末装置１０の現在地の位置情報を取得することができる。例えば、取得部１８１は、ＧＰＳ受信部１３から出力された信号に基づいて現在地の位置情報（例えば緯度経度）を取得することができる。そして、取得部１８１は、獲物画像が撮像部１１によって撮像されたときに、端末装置１０の位置情報を取得し、取得された位置情報を撮像位置情報として獲物画像に対応付けて付与し、記憶部１７に記憶させる（図３参照）。
【００４０】
歩行検出部１８２は、ユーザＵの歩行を検出する。例えば、歩行検出部１８２は、加速度センサ１５によって検出された端末装置１０の加速度に基づいて、ユーザＵの歩行を検出する。具体的には、歩行検出部１８２は、端末装置１０の加速度が所定値以上である場合、ユーザＵが歩行中であることを検出する。他方、歩行検出部１８２は、端末装置１０の加速度が所定値未満である場合、ユーザＵの歩行は検出されない、逆に言えば、ユーザＵが非歩行中であることを検出する。
【００４１】
なお、上記では、歩行検出部１８２は、端末装置１０の加速度に基づいてユーザＵの歩行を検出するようにしたが、これはあくまでも一例であって限定されるものではない。すなわち、例えば、歩行検出部１８２は、取得部１８１によって取得される端末装置１０の位置情報の推移に基づいてユーザＵの歩行を検出するなど、その他の手法を用いてもよい。
【００４２】
起動制御部１８３は、所定のアプリの起動を制御する。ここでは、所定のアプリとして、例えば、狩猟の際に利用されるアプリであって、捕獲した動物を撮像したり、撮像された獲物画像をサーバ２０へ送信したりすることができるアプリを例にとって説明するが、アプリの種類はこれに限定されるものではない。
【００４３】
起動制御部１８３は、例えば、ユーザＵから入出力部１４を介してアプリの起動要求が入力されると、アプリを起動させる。なお、ここでは、ユーザＵが狩猟を行う前、あるいは狩猟の開始時などに、アプリの起動要求が入力されてアプリを起動させることとするが、起動のタイミングはこれに限定されるものではない。
【００４４】
また、起動制御部１８３は、所定のアプリを起動させた後に歩行検出部１８２によってユーザＵの歩行が検出される場合、所定のアプリの起動を継続させる。これにより、アプリの利便性を向上させることができる。
【００４５】
具体的に説明すると、例えば、ユーザＵは、狩猟の際、先ず動物を捕獲する捕獲地点まで歩いて移動する。そして、ユーザＵは、捕獲地点で動物を捕獲すると、捕獲した動物の前で立ち止まり、動物の撮像をアプリを利用して行う。この動物の撮像を行うとき、例えば、アプリが所定時間操作がなされないことによってスリープモード等に移行してしまうと、ユーザＵは、手袋を外して端末装置１０をタッチ操作したりしてアプリを起動状態に戻す必要が生じる。
【００４６】
本実施形態に係る起動制御部１８３は、上記したように、歩行検出部１８２によってユーザＵの歩行が検出される場合、所定のアプリの起動を継続させることから、スリープモードに移行したり、ロック画面が表示されたりすることはない。これにより、ユーザＵは、手袋を外して端末装置１０をタッチ操作してアプリを起動状態に戻す必要はなく、よってアプリの利便性を向上させることができる。
【００４７】
なお、起動制御部１８３は、ユーザＵの歩行が検出されなくなり、歩行が検出されなくなってから所定時間が経過するような場合、狩猟が終了した、あるいはユーザＵが休憩を取っていると推定されることから、アプリの起動を休止させてもよい。これにより、端末装置１０のアプリがスリープモードに移行したり、ロック画面が表示されたりすることとなる。
【００４８】
受付部１８４は、所定のアプリに対するユーザＵの音声操作を受け付ける。そして、受付部１８４は、受け付けた音声操作に応じた処理を実行する。例えば、受付部１８４は、ユーザＵから「カメラ準備」など撮像の準備を要求する音声操作を受け付けると、撮像部１１を起動させるなど撮像の準備処理を実行する。また、例えば、受付部１８４は、ユーザＵから「撮影」や「カメラ写して」など撮像を要求する音声操作を受け付けると、撮像部１１による撮像処理を実行する。
【００４９】
このように、本実施形態に係る受付部１８４は、アプリに対するユーザＵの音声操作を受け付けるようにしたことから、例えば、ユーザＵは手袋を外すことなく、獲物画像の撮像などを行うことが可能となり、よってアプリの利便性をより向上させることができる。
【００５０】
また、受付部１８４は、歩行検出部１８２によってユーザＵの歩行が検出される場合、音声操作の受け付けを禁止してもよい。例えば、狩猟の際にユーザＵの歩行が検出される場合、ユーザＵは、捕獲地点まで歩いて移動している途中と推定することができる。かかる移動中、例えば、獲物画像の撮像などアプリを利用した処理は行われない、あるいは行われにくいことから、受付部１８４は、ユーザＵの歩行が検出される場合、音声操作の受け付けを禁止する。
【００５１】
このように、本実施形態にあっては、ユーザＵの歩行時に音声操作の受け付けを禁止することで、例えば、ユーザＵが意図しない不要な音声を受け付けてしまって生じる誤作動を防止したり、端末装置１０の消費電力を抑制したりすることができる。
【００５２】
また、受付部１８４は、所定のアプリに対するユーザＵのタッチ操作も受け付ける。そして、受付部１８４は、受け付けたタッチ操作に応じた処理を実行する。例えば、受付部１８４は、ユーザＵから撮像の準備を要求するタッチ操作を受け付けると、撮像部１１を起動させて撮像の準備処理を実行する。また、例えば、受付部１８４は、ユーザＵから撮像を要求するタッチ操作を受け付けると、撮像部１１による撮像処理を実行する。
【００５３】
なお、受付部１８４は、歩行検出部１８２によってユーザＵの歩行が検出される場合、タッチ操作を受け付けてもよいし、タッチ操作を禁止してもよい。
【００５４】
モード制御部１８５は、端末装置１０の消費電力が異なる２つのモードの切り替え処理を実行する。例えば、モード制御部１８５は、通常消費電力モードと、低消費電力モードとの間で切り替えを行う。なお、ここでは、消費電力モードを２種類としたが、これに限られず、３種類以上であってもよい。
【００５５】
例えば、モード制御部１８５は、アプリの起動直後や、歩行検出部１８２によってユーザＵの歩行が検出されない場合、通常消費電力モードを実行する。
【００５６】
また、例えば、モード制御部１８５は、歩行検出部１８２によってユーザＵの歩行が検出される場合、端末装置１０の消費電力がユーザＵの歩行が検出されない場合（すなわち、通常消費電力モードの場合）より低い低消費電力モードに移行する。
【００５７】
具体的には、上記したように、狩猟の際にユーザＵの歩行が検出される場合、ユーザＵは捕獲地点までの移動中で、獲物画像の撮像などアプリを利用した処理は行われにくいことから、モード制御部１８５は、低消費電力モードへの移行を行う。これにより、ユーザＵの歩行時における端末装置１０の消費電力を抑制することができる。
【００５８】
より詳しくは、モード制御部１８５は、ユーザＵの歩行が検出される場合の端末装置１０の画面の輝度を、ユーザＵの歩行が検出されない場合より低減させることで、低消費電力モードに移行する。これにより、ユーザＵの歩行時における端末装置１０の消費電力を効率よく抑制することができる。
【００５９】
なお、上記では、端末装置１０の画面の輝度を低減させることで、消費電力を抑制するようにしたが、これに限定されるものではなく、例えば、端末装置１０のネットワーク２への通信量を低減させるなどその他の手法を用いて、端末装置１０の消費電力を抑制してもよい。
【００６０】
また、モード制御部１８５は、低消費電力モードに移行した後にアプリに対するユーザＵの操作を受け付けた場合、端末装置１０の画面の輝度を増加させることで、低消費電力モードから通常消費電力モードに移行してもよい。
【００６１】
すなわち、アプリに対するユーザＵの操作は、ユーザＵがアプリを利用した処理を所望していると推定される。そこで、本実施形態にあっては、端末装置１０の画面の輝度を増加させて通常消費電力モードに移行することで、画面に表示されるアプリを見やすくすることができ、結果としてアプリの利便性をより一層向上させることができる。
【００６２】
なお、上記では、ユーザＵがアプリを利用した処理を所望していることを、アプリに対するユーザＵの操作によって推定したが、かかる推定の手法はこれに限られない。すなわち、例えば、端末装置１０がユーザＵのポケットやバッグから出されるなど、端末装置１０の環境状態が所定の状態に変化した場合に、ユーザＵがアプリを利用した処理を所望していると推定してもよい。
【００６３】
詳しくは、モード制御部１８５は、端末装置１０に搭載されたセンサ（例えば加速度センサ１５や照度センサ１６）から出力されるセンサ情報に基づいて端末装置１０の環境状態が所定の状態に変化したか否かを判定する。ここで、所定の状態とは、上記した端末装置１０がユーザＵのポケットから出されるなど、端末装置１０を利用可能な状態を意味するが、これに限定されるものではない。
【００６４】
具体的には、モード制御部１８５は、加速度センサ１５から検出された端末装置１０の加速度が、ユーザＵの歩行を示す値とは異なる値であって、端末装置１０を利用可能な状態（姿勢）に変化したような値を示す場合、端末装置１０の環境状態が所定の状態に変化したと判定することができる。
【００６５】
また、例えば、モード制御部１８５は、照度センサ１６から検出される端末装置１０の周囲の照度が、比較的低い値から比較的高い値に変化したような場合、端末装置１０がポケットから出されるなど、端末装置１０の環境状態が所定の状態に変化したと判定することができる。
【００６６】
そして、モード制御部１８５は、端末装置１０の環境状態が所定の状態に変化したと判定された場合、端末装置１０の画面の輝度を増加させることで、低消費電力モードから通常消費電力モードに移行する。これにより、画面に表示されるアプリを見やすくすることができ、結果としてアプリの利便性をより一層向上させることができる。
【００６７】
また、モード制御部１８５は、上記した加速度センサ１５や照度センサ１６のセンサ情報を用いることで、端末装置１０の環境状態が所定の状態に変化したか否かを容易に判定することが可能となる。
【００６８】
なお、モード制御部１８５は、上記した加速度センサ１５および照度センサ１６の両方のセンサ情報を用いてもよいし、いずれか一方のセンサ情報を用いてもよい。また、モード制御部１８５は、加速度センサ１５や照度センサ１６に限らず、例えばジャイロセンサなどその他の種類のセンサから出力されるセンサ情報を用いてもよい。
【００６９】
ここで、図４Ａ〜４Ｃを用いて、前述の起動制御部１８３、受付部１８４およびモード制御部１８５による処理について説明する。図４Ａ〜４Ｂは、実施形態に係る端末装置１０の入出力部１４に表示される画面の一例を示す図である。
【００７０】
図４Ａに示すように、起動制御部１８３は、ユーザＵの歩行が検出される場合、アプリの起動を継続させるとともに、歩行時画面を端末装置１０に表示させる。受付部１８４は、ユーザＵの歩行が検出されているため、音声操作の受け付けを禁止する。従って、起動制御部１８３は、音声操作ができない旨を歩行時画面に表示させてもよい。
【００７１】
また、モード制御部１８５は、ユーザＵの歩行が検出されるため、端末装置１０の画面の輝度を低減させる低消費電力モードに移行する。なお、図４Ａでは、画面の輝度の低減をドットで模式的に示している。
【００７２】
次いで、図４Ｂに示すように、例えば、起動制御部１８３は、ユーザＵの歩行が検出されなくなると、アプリの起動を継続させつつ、停止時画面を端末装置１０に表示させる。また、受付部１８４は、ユーザＵの歩行が検出されなくなるため、アプリに対するユーザＵの音声操作を受け付ける。従って、起動制御部１８３は、音声操作を受け付けている旨を歩行時画面に表示させてもよい。また、モード制御部１８５は、ユーザＵの歩行が検出されなくなると、画面の輝度を増加させることで、低消費電力モードから通常消費電力モードに移行する。
【００７３】
そして、例えば、受付部１８４は、ユーザＵからカメラの準備を要求する音声操作を受け付けると、撮像部１１を起動させるなど撮像の準備処理を実行し、図４Ｃに示すような撮像画面を表示させる。次いで、例えば、受付部１８４は、ユーザＵから撮像を要求する音声操作を受け付けると、撮像部１１による撮像処理を実行して、獲物画像を撮像する。
【００７４】
図２の説明に戻ると、送信部１８６は、上記した獲物画像や撮像位置情報を含む画像情報１７１を読み出し、画像情報１７１をサーバ２０へ送信する。
【００７５】
図５は、実施形態に係るサーバ２０の構成例を示すブロック図である。サーバ２０は、単体の処理装置である必要はなく、クラウドシステム等の複数の処理装置が協調して動作することで実現されてもよい。図５に示すように、サーバ２０は、通信部２１、記憶部２２および制御部２３を有する。
【００７６】
通信部２１は、無線通信処理や有線通信処理を行うためのネットワークデバイスである。例えば、通信部２１は、ネットワーク２を介して端末装置１０との間で各種情報を送受信する。
【００７７】
記憶部２２は、例えば、ＲＡＭ、フラッシュメモリ等の半導体メモリ素子、または、ハードディスク、光ディスク等の記憶装置によって実現される。実施形態に係る記憶部２２は、サーバ２０で実行される各処理で利用されるデータを記憶する。記憶部２２は、捕獲情報２２１を記憶する。
【００７８】
捕獲情報２２１は、端末装置１０によって送信された画像情報１７１に、ユーザＵを識別するユーザＩＤを対応付けた情報である。なお、ユーザＩＤは、画像情報１７１とともに送信されるものであってもよい。
【００７９】
図６は、実施形態に係る捕獲情報２２１の一例を示す図である。図６に示すように、捕獲情報２２１には、ユーザＩＤ、獲物画像、撮像時間情報および撮像位置情報が含まれる。
【００８０】
例えば、図６の捕獲情報２２１の１行目は、ユーザ「Ｕ００１」が獲物画像を、時間「2019/1/20  15:10」に、位置「34°26'27.0"N  167°39'10.1"E」で撮像したことを示している。
【００８１】
図５の説明に戻ると、制御部２３は、各種の処理手順等を規定したプログラム及び所要データを格納するための内部メモリやＣＰＵを有し、これらによって種々の処理を実行するマイクロコンピュータを含む。制御部２３は、受信部２３１、認証部２３２、格納部２３３及び送信部２３４を有する。
【００８２】
受信部２３１は、端末装置１０によって送信された画像情報１７１を受信する。また、認証部２３２はユーザＵを認証する。例えば、認証部２３２はユーザＩＤおよびパスワードを使って認証を行う。また、ユーザＩＤおよびパスワードは、画像情報１７１とともに送信されるものであってもよい。
【００８３】
格納部２３３は、受信部２３１によって受信された画像情報１７１を記憶部２２に捕獲情報２２１として格納する。送信部２３４は、例えば、認証済みのユーザＵの要求に応じて、捕獲情報２２１を送信する。また、送信部２３４は、図示しない自治体の端末装置からの要求に応じて、捕獲情報２２１を送信してもよい。
【００８４】
［処理手順］
次に、図７を用いて、端末装置１０の処理の流れについて説明する。図７は、実施形態に係る端末装置１０のアプリの起動や音声操作の受け付け、消費電力モードの切り替え処理などの手順を示すフローチャートである。
【００８５】
図７に示すように、端末装置１０は、例えばユーザＵからアプリの起動要求が入力されると、アプリを起動させる（ステップＳ１０１）。次いで、端末装置１０は、ユーザＵの歩行が検出されるか否かを判定する（ステップＳ１０２）。
【００８６】
端末装置１０は、ユーザＵの歩行が検出されると判定された場合（ステップＳ１０２，Ｙｅｓ）、アプリの起動を継続させるとともに（ステップＳ１０３）、低消費電力モードに移行する（ステップＳ１０４）。続いて、端末装置１０は、ユーザＵの歩行が検出されているため、音声操作の受け付けを禁止し（ステップＳ１０５）、ステップＳ１０２の処理へ戻る。
【００８７】
端末装置１０は、ユーザＵの歩行が検出されない、あるいは検出されなくなったと判定された場合（ステップＳ１０２，Ｎｏ）、通常消費電力モードに移行する（ステップＳ１０６）。
【００８８】
続いて、端末装置１０は、ユーザＵによる音声操作を受け付けたか否かを判定する（ステップＳ１０７）。端末装置１０は、音声操作を受け付けたと判定された場合（ステップＳ１０７，Ｙｅｓ）、音声操作に応じた処理を実行する（ステップＳ１０８）。
【００８９】
一方、端末装置１０は、音声操作を受け付けていないと判定された場合（ステップＳ１０７，Ｎｏ）、歩行が検出されなくなってから所定時間が経過したか否かを判定する（ステップＳ１０９）。
端末装置１０は、所定時間が経過していないと判定された場合（ステップＳ１０９，Ｎｏ）、ステップＳ１０２の処理に戻る。そして、端末装置１０は、歩行が検出されなくなってから所定時間が経過したと判定された場合（ステップＳ１０９，Ｙｅｓ）、例えばアプリの起動を休止させてスリープモードに移行する。
【００９０】
このように、実施形態に係る端末プログラムは、歩行検出手順と、起動制御手順とをコンピュータに実行させる。歩行検出手順は、ユーザＵの歩行を検出する。起動制御手順は、所定のアプリケーションを起動させた後に歩行検出手順によってユーザＵの歩行が検出される場合、所定のアプリケーションの起動を継続させる。これにより、アプリケーションの利便性を向上させることができる。
【００９１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９２】
１  情報処理システム
１０  端末装置
１５  加速度センサ
１６  照度センサ
２０  サーバ
１８２  歩行検出部
１８３  起動制御部
１８４  受付部
１８５  モード制御部
【図１】
2020119210.tif 000003
【図２】
2020119210.tif 000004
【図３】
2020119210.tif 000005
【図４Ａ】
2020119210.tif 000006
【図４Ｂ】
2020119210.tif 000007
【図４Ｃ】
2020119210.tif 000008
【図５】
2020119210.tif 000009
【図６】
2020119210.tif 000010
【図７】
2020119210.tif 000011